(57)【要約】【課題】本発明は、樹脂製のフィルムを不要とし、且つ、ティッシュペーパー等の紙類の取り出し操作性に優れ、使用者の指の傷付きティッシュペーパー等の紙類の損傷という不都合も無い高機能の開口部を備えた紙容器を提供する。【解決手段】本発明の紙容器１は、ティッシュペーパー等の紙類Ｐを積層収容する直方体状の容器本体２と、この容器本体２の上面に形成した開口部１０とを有する紙容器１であって、前記開口部１０を形成する一対の上下動フラップ３ａ、３ｂ、一対ずつの側部フラップ４ａ、４ｂの各切れ目５は、刃部の１ピッチが０．１ｍｍ以上〜３．０ｍｍ以下の範囲のウェーブ刃切断具により形成されたことを特徴とするものである。【選択図】図２
2004276922.tif 000002
【特許請求の範囲】
【請求項１】
ティッシュペーパー等の紙類を積層収容する容器本体と、この容器本体の上面の一部を切開して形成した前記紙類の取り出し用の開口部とを有する紙容器であって、
前記開口部を形成する切れ目は、刃部の１ピッチが０．１ｍｍ以上〜３．０ｍｍ以下の範囲のウェーブ刃切断具により形成されたものであることを特徴とする紙容器。
【請求項２】
ティッシュペーパー等の紙類を積層収容する容器本体と、この容器本体の上面の一部を切開して形成した前記紙類の取り出し用の開口部とを有する紙容器であって、
前記開口部を形成する切れ目は、刃部の１ピッチが０．１ｍｍのウェーブ刃切断具により形成されたものであることを特徴とする紙容器。
【請求項３】
ティッシュペーパー等の紙類を積層収容する直方体状の容器本体と、この容器本体の上面に形成した前記紙類の取り出し用の開口部とを有する紙容器であって、
前記開口部を、
中心の切れ目を境にして形成した一対の上下動フラップと、当該一対の上下動フラップの各後端部すなわち前記中心の切れ目とは逆の各部分に形成した一対の折り目と、前記中心の切れ目の左右両端部と前記一対の各折り目の左右両端部とを結んで形成した切れ目と、
からを形成した紙容器であって、
前記開口部を形成する各切れ目は、刃部の１ピッチが０．１ｍｍ以上〜３．０ｍｍ以下の範囲のウェーブ刃切断具により形成されたものであることを特徴とする紙容器。
【請求項４】
ティッシュペーパー等の紙類を積層収容する直方体状の容器本体と、この容器本体の上面に形成した前記紙類の取り出し用の開口部とを有する紙容器であって、
前記開口部を、
中心の切れ目を境にして形成した一対の上下動フラップと、当該一対の上下動フラップの各後端部すなわち前記中心の切れ目とは逆の各部分に形成した一対の折り目と、前記中心の切れ目の左右両端部と前記一対の各折り目の左右両端部とを結んで形成した切れ目と、
からを形成した紙容器であって、
前記開口部を形成する各切れ目は、刃部の１ピッチが０．１ｍｍのウェーブ刃切断具により形成されたものであることを特徴とする紙容器。
【請求項５】
ティッシュペーパー等の紙類を積層収容する直方体状の容器本体と、
この容器本体の上面に形成した全体としてほぼ長方形状を呈し、中央側の取り出し操作用の一対の上下動フラップと、この上下動フラップの両側に左右対称形状に形成した一対ずつの側部フラップとからなり、一対の上下動フラップ間、一対ずつの側部フラップ間及び上下動フラップと側部フラップとの間、側部フラップの側辺と容器本体の上面を形成する上辺との間に各々切開による切れ目を、一対の上下動フラップ、一対ずつの側部フラップの各後端部に各々折り目を形成してなる前記紙類の取り出し用の開口部と、
を有する紙容器であって、
前記開口部を形成する各切れ目は、刃部の１ピッチが０．１ｍｍ以上〜３．０ｍｍ以下の範囲のウェーブ刃切断具により形成されたものであることを特徴とする紙容器。
【請求項６】
ティッシュペーパー等の紙類を積層収容する直方体状の容器本体と、
この容器本体の上面に形成した全体としてほぼ長方形状を呈し、中央側の取り出し操作用の一対の上下動フラップと、この上下動フラップの両側に左右対称形状に形成した一対ずつの側部フラップとからなり、一対の上下動フラップ間、一対ずつの側部フラップ間及び上下動フラップと側部フラップとの間、側部フラップの側辺と容器本体の上面を形成する上辺との間に各々切開による切れ目を、一対の上下動フラップ、一対ずつの側部フラップの各後端部に各々折り目を形成してなる前記紙類の取り出し用の開口部と、
を有する紙容器であって、
前記開口部を形成する各切れ目は、刃部の１ピッチが０．１ｍｍのウェーブ刃切断具により形成されたものであることを特徴とする紙容器。
【発明の詳細な説明】
【発明の属する技術分野】
本発明は、順に取り出される例えばティッシュペーパー等の紙類を積層収容する紙容器に関するものである。
【従来の技術】
従来、ティッシュペーパー等の紙類を積層収容するティッシュペーパー用容器として、例えば特許文献１に開示されたものが提案されている。
特許文献１に開示されたティッシュペーパー用容器は、容器の頂壁の一部に開口を設け、この開口を閉塞する樹脂製のフィルムを貼付し、フィルムにティッシュペーパー取り出し用のミシン目を設けたものである。
しかし、特許文献１のティッシュペーパー用容器の場合、開口に樹脂製のフィルムを貼付した構成であるため、製造時には、樹脂製のフィルムの作成、貼付作業が必要で製造コスト増を招くとともに、ティッシュペーパー用容器を使用済みとし廃棄する場合には、環境保護の見地から樹脂製のフィルムをティッシュペーパー用容器から剥離分別して廃棄することが必要となり、使用者に余分な手間を強いるという問題を包含している。
【特許文献１】
特開２００２−００２８３６号公報
【発明が解決しようとする課題】
本発明は、上記従来の実情に鑑み開発されたものであり、上述した従来のティッシュペーパー用容器における樹脂製のフィルムを不要とし、且つ、ティッシュペーパー等の紙類の取り出し操作性に優れ、しかも、容器の開口時、開封時やティッシュペーパー等の取り出し時等において使用者の指を不用意に傷付けてしまうというような不都合も無く、また、ティッシュペーパー等の紙類を損傷してしまうというような不都合も無い高機能の開口部を備えた紙容器を提供することを目的とするものである。
【課題を解決するための手段】
請求項１記載の発明の紙容器は、ティッシュペーパー等の紙類を積層収容する容器本体と、この容器本体の上面の一部を切開して形成した前記紙類の取り出し用の開口部とを有する紙容器であって、前記開口部を形成する切れ目は、刃部の１ピッチが０．１ｍｍ以上〜３．０ｍｍ以下の範囲のウェーブ刃切断具により形成されたものであることを特徴とするものである。
請求項２記載の発明の紙容器は、ティッシュペーパー等の紙類を積層収容する容器本体と、この容器本体の上面の一部を切開して形成した前記紙類の取り出し用の開口部とを有する紙容器であって、前記開口部を形成する切れ目は、刃部の１ピッチが０．１ｍｍのウェーブ刃切断具により形成されたものであることを特徴とするものである。
請求項３記載の発明の紙容器は、ティッシュペーパー等の紙類を積層収容する直方体状の容器本体と、この容器本体の上面に形成した前記紙類の取り出し用の開口部とを有する紙容器であって、前記開口部を、中心の切れ目を境にして形成した一対の上下動フラップと、当該一対の上下動フラップの各後端部すなわち前記中心の切れ目とは逆の各部分に形成した一対の折り目と、前記中心の切れ目の左右両端部と前記一対の各折り目の左右両端部とを結んで形成した切れ目と、からを形成した紙容器であって、前記開口部を形成する各切れ目は、刃部の１ピッチが０．１ｍｍ以上〜３．０ｍｍ以下の範囲のウェーブ刃切断具により形成されたものであることを特徴とするものである。
請求項４記載の発明の紙容器は、ティッシュペーパー等の紙類を積層収容する直方体状の容器本体と、この容器本体の上面に形成した前記紙類の取り出し用の開口部とを有する紙容器であって、前記開口部を、中心の切れ目を境にして形成した一対の上下動フラップと、当該一対の上下動フラップの各後端部すなわち前記中心の切れ目とは逆の各部分に形成した一対の折り目と、前記中心の切れ目の左右両端部と前記一対の各折り目の左右両端部とを結んで形成した切れ目と、からを形成した紙容器であって、前記開口部を形成する各切れ目は、刃部の１ピッチが０．１ｍｍのウェーブ刃切断具により形成されたものであることを特徴とするものである。
請求項５記載の発明の紙容器は、ティッシュペーパー等の紙類を積層収容する直方体状の容器本体と、この容器本体の上面に形成した全体としてほぼ長方形状を呈し、中央側の取り出し操作用の一対の上下動フラップと、この上下動フラップの両側に左右対称形状に形成した一対ずつの側部フラップとからなり、一対の上下動フラップ間、一対ずつの側部フラップ間及び上下動フラップと側部フラップとの間、側部フラップの側辺と容器本体の上面を形成する上辺との間に各々切開による切れ目を、一対の上下動フラップ、一対ずつの側部フラップの各後端部に各々折り目を形成してなる前記紙類の取り出し用の開口部と、を有する紙容器であって、前記開口部を形成する各切れ目は、刃部の１ピッチが０．１ｍｍ以上〜３．０ｍｍ以下の範囲のウェーブ刃切断具により形成されたものであることを特徴とするものである。
請求項６記載の発明の紙容器は、ティッシュペーパー等の紙類を積層収容する直方体状の容器本体と、この容器本体の上面に形成した全体としてほぼ長方形状を呈し、中央側の取り出し操作用の一対の上下動フラップと、この上下動フラップの両側に左右対称形状に形成した一対ずつの側部フラップとからなり、一対の上下動フラップ間、一対ずつの側部フラップ間及び上下動フラップと側部フラップとの間、側部フラップの側辺と容器本体の上面を形成する上辺との間に各々切開による切れ目を、一対の上下動フラップ、一対ずつの側部フラップの各後端部に各々折り目を形成してなる前記紙類の取り出し用の開口部と、を有する紙容器であって、前記開口部を形成する各切れ目は、刃部の１ピッチが０．１ｍｍのウェーブ刃切断具により形成されたものであることを特徴とするものである。
本発明によれば、前記開口部を形成する上下動フラップの各切れ目、又は上下動フラップ及び側部フラップの各切れ目を、１ピッチが０．１ｍｍ以上〜３．０ｍｍ以下、好ましくは０．１ｍｍのウェーブ刃形状とした構成により、ティッシュペーパー等の紙類の取り出し操作性、上下動フラップ、側部フラップによる紙類保持性、上下動フラップ、側部フラップの蓋機能による衛生面の確保、更には、容器の開口時、開封時やティッシュペーパー等の取り出し時等において使用者の指を不用意に傷付けてしまうというような不都合も無く、また、ティッシュペーパー等の紙類を損傷してしまうというような不都合も無い各種の高機能の紙容器を提供することができる。
また、前記従来例のような樹脂製のフィルムの貼付が不要となり、製造コストの低廉化を図り、廃棄処理時の使用者の手間の簡略化が可能であり、地球環境にも優しくなる。
【発明の実施の形態】
以下に本発明の実施の形態を説明するが、本発明はこれに限定されるものではない。
図１は本発明の実施の形態に係る一例の紙容器１の外観を示すものであり、この紙容器１は、ティッシュペーパー等の紙類Ｐ（図５参照）を折り畳み状態で多数枚積層収容する直方体状の容器本体２と、この容器本体２の上面に形成した全体としてほぼ長方形状を呈し、中央側の取り出し操作用の一対の上下動フラップ３ａ、３ｂと、この上下動フラップ３ａ、３ｂの両側に左右対称形状に形成した一対ずつの側部フラップ４ａ、４ｂ、４ｃ、４ｄとからなる前記紙類Ｐの取り出し用の開口部１０とを有している。
前記開口部１０は、図２に拡大して示すように、前記一対の上下動フラップ３ａ、３ｂ間、一対ずつの側部フラップ間４ａ、４ｂ、４ｃ、４ｄ及び上下動フラップ３ａ、３ｂと側部フラップ４ａ、４ｂ、４ｃ、４ｄとの間、更には側部フラップ４ａ、４ｂ、側部フラップ４ｃ、４ｄの側辺と容器本体２の上面を形成する上辺２ａとの間に各々切開による切れ目５を、一対の上下動フラップ３ａ、３ｂ、一対ずつの側部フラップ４ａ、４ｂ、４ｃ、４ｄの各後端部に各々点線で示す折り目６を形成することにより構成している。
前記開口部１０を形成する各切れ目５は、図３、図４に示すように、刃部１１の１ピッチが０．１ｍｍ以上〜３．０ｍｍ以下の範囲、好ましくは０．１ｍｍのウェーブ刃切断具（波刃切断具）１２を上型１３に取り付け、下型１４上に組み立て前の紙容器１を載置し、上型１３を下型１４に向けて落下させる成形型による切断加工にて形成している。
この結果、前記各切れ目５は、ウェーブ刃切断具（波刃切断具）１２の刃部１１に対応して１ピッチが０．１ｍｍ以上〜３．０ｍｍ以下の範囲、好ましくは０．１ｍｍの微小な刃形状を呈するようになっている。
前記切れ目５を、１ピッチが０．１ｍｍ以上〜３．０ｍｍ以下、好ましくは０．１ｍｍの刃形状とするのは、開口の容易さ、指操作による取り出し時の指の損傷防止の観点、紙類Ｐの押さえ機能、紙類Ｐとの接触時の引っ掛かり、傷付けの防止の観点を配慮したものである。
すなわち、前記切れ目５を１ピッチが０．１ｍｍ未満の刃形状とすると、紙類Ｐの落下防止のための押さえ機能が不十分となり、１ピッチが３．０ｍｍを超えると、紙類Ｐとの引っ掛かり、傷付けの程度が大き過ぎてしまう。
前記折り目６は、ミシン目や、リード、ウェーブ又はストレートの刃、罫線付け等により形成している。
本発明においては、前記図１等に示す実施の形態に係る紙容器１の変形例として、この紙容器１を、容器本体２と、この容器本体２の上面に形成した前記紙類Ｐの取り出し用の開口部１０とをもって形成し、当該開口部１０を、中心部分の切れ目５を境にして形成した一対の上下動フラップ３ａ、３ｂと、当該一対の上下動フラップ３ａ、３ｂの各後端部すなわち前記中心部分の切れ目５とは逆の各部分に形成した一対の折り目６、６と、前記中心部分の切れ目５の左右両端部と前記一対の各折り目６、６の左右両端部とを結んで形成した切れ目５、５とからを形成し、しかも、前記開口部１０を形成する各切れ目を、刃部の１ピッチが０．１ｍｍ以上〜３．０ｍｍ以下の範囲、好ましくは０．１ｍｍのウェーブ刃切断具により形成するようにしても良い。
次に、図５乃至図９を参照して本実施の形態に係る一例の紙容器１の使用状態を詳述する。
本実施の形態に係る紙容器１の使用開始前においては、図１、図５に示すように、中央側の取り出し操作用の一対の上下動フラップ３ａ、３ｂ、一対ずつの側部フラップ４ａ、４ｂ、側部フラップ４ｃ、４ｄは容器本体２の上面において平坦な状態となっている。
使用者が容器本体２の内部から紙類Ｐを取り出す場合には、図６に示すように上下動フラップ３ａ、３ｂを２本の指で下方に押し下げる。これにより、上下動フラップ３ａ、３ｂは折り目６の部分から立ち下がり、その先端間に最上層の紙類Ｐが露出し、使用者は例えば２本の指で一枚目の紙類Ｐを摘まみ、容器本体２から上方に取り出すことができる。
使用者が容器本体２から一枚目のティッシュペーパー等の紙類Ｐを上方に取り出す状態を図７、図８に示す。
一枚の紙類Ｐを上方に取り出す際に、一旦、立ち下がった上下動フラップ３ａ、３ｂは紙類Ｐの上方への移動とともに反転し、折り目６の部分で支持されつつ上向きとなり、相対向する切れ目５が一枚目の紙類Ｐの両面に接触した状態となる。
また、このとき一対ずつの側部フラップ４ａ、４ｂ、側部フラップ４ｃ、４ｄも各々観音開きの状態となり、これら側部フラップ４ａ、４ｂ、側部フラップ４ｃ、４ｄの相対向する各切れ目５が一枚目の紙類Ｐの両面に接触した状態となる。
このようにして容器本体２から一枚の紙類Ｐを上方に取り出す際に、一枚目の紙類Ｐと折り畳み関連付けていた２枚目の紙類Ｐは一枚目の紙類Ｐと連動して連続的に上方に引き上げられる（３枚目以降の紙類Ｐも同様）。
そして、一枚目の紙類Ｐを容器本体２から完全に抜き取った後には、図９に示すように、２枚目の紙類Ｐの先端部が容器本体２における開口部１０に露出するとともに、２枚目の紙類Ｐの両面に、上下動フラップ３ａ、３ｂ、側部フラップ４ａ、４ｂ、側部フラップ４ｃ、４ｄの相対向する各切れ目５が各々接触した状態となる。
すなわち、上下動フラップ３ａ、３ｂ、側部フラップ４ａ、４ｂ、側部フラップ４ｃ、４ｄは、紙類Ｐの落下を防止する紙押さえとして機能するとともに、容器本体２内への塵埃、虫等の侵入を阻止する蓋体としても機能する。
このような上下動フラップ３ａ、３ｂ、側部フラップ４ａ、４ｂ、側部フラップ４ｃ、４ｄの各機能は、容器本体２内の積層状態の紙類Ｐが次々と使用され無くなるまで持続される。
本実施の形態に係る紙容器１によれば、前記開口部１０における上下動フラップ３ａ、３ｂ、側部フラップ４ａ、４ｂ、４ｃ、４ｄの各切れ目５を１ピッチが０．１ｍｍ以上〜３．０ｍｍ以下、好ましくは０．１ｍｍの刃形状とした構成により、ティッシュペーパー等の紙類Ｐの取り出し操作性、紙類保持性、衛生面に優れ、しかも、紙容器１の開口時、開封時やティッシュペーパー等の紙類Ｐの取り出し時における使用者の指を不用意に傷付けることも無く、また、紙類Ｐの取り出し時におけるティッシュペーパー等の紙類Ｐの損傷という不都合も生じない各種の高い機能を発揮させることができる。
また、本実施の形態に係る紙容器１によれば、前記従来例のような樹脂製のフィルムの貼付が不要となり、製造コストの低廉化を図ることができ、且つ、紙容器１の廃棄処理時の使用者の手間の簡略化が可能であり、しかも、地球環境にも優しい紙容器１を提供できる。
なお、本実施の形態に係る紙容器１は、ティッシュペーパー用として使用する他、食品等の包装等々に使用する各種の薄紙（ティッシュ）等用としても適用可能である。
【発明の効果】
以上詳述した本発明によれば、製造コストの低廉化を図り、ティッシュペーパー等の紙類の取り出し操作性、紙類保持性、衛生面の確保、更には、使用者の指の傷付きや紙類の損傷という不都合も回避できる高機能の紙容器を提供することができる。
【図面の簡単な説明】
【図１】本発明の実施の形態に係る紙容器の外観を示す斜視図である。
【図２】本発明の実施の形態に係る紙容器の部分拡大斜視図である。
【図３】本発明の実施の形態に係る紙容器の切れ目を形成する打ち抜き型を示す概略図である。
【図４】本発明の実施の形態に係る紙容器の切れ目を形成するウェーブ刃切断具（波刃切断具）を示す斜視図である。
【図５】本発明の実施の形態に係る紙容器の使用開始前の状態を示す断面図である。
【図６】本発明の実施の形態に係る紙容器の使用開始時の状態を示す断面図である。
【図７】本発明の実施の形態に係る紙容器の紙類取り出し時の状態を示す断面図である。
【図８】本発明の実施の形態に係る紙容器の紙類取り出し時の状態を示す斜視図である。
【図９】本発明の実施の形態に係る紙容器の一枚目の紙類取り出し後の状態を示す断面図である。
【符号の説明】
Ｐ    紙類
１    紙容器
２    容器本体
２ａ  上辺
３ａ、３ｂ  上下動フラップ
４ａ、４ｂ  側部フラップ
４ｃ、４ｄ  側部フラップ
５    切れ目
６    折り目
１０    開口部
１１    刃部
１２    ウェーブ刃切断具（波刃切断具）
１３    上型
１４    下型
【図１】
2004276922.tif 000003
【図２】
2004276922.tif 000004
【図３】
2004276922.tif 000005
【図４】
2004276922.tif 000006
【図５】
2004276922.tif 000007
【図６】
2004276922.tif 000008
【図７】
2004276922.tif 000009
【図８】
2004276922.tif 000010
【図９】
2004276922.tif 000011